(57)【要約】【課題】  保持器の加締め時に保持器構成板がずれてもころのロックが生じず、組立性を向上させることのできるスラストころ軸受、およびその保持器を提供する。【解決手段】  互いに軸方向に重なる第１の保持器構成板１１および第２の保持器構成板１２からなる保持器１０における円周方向複数箇所にポケット１３が設けられ、これら各ポケット１３にころ４が保持される。保持器１０の内径側端および外径側端では、第１および第２の保持器構成板１１，１２が、それらのいずれか一方を、いずれか他方に加締めた加締め部１２ｂ，１２ｃで結合されている。各ポケット１３は、第１および第２の保持器構成板１１，１２の半径方向の中間に設けられ互いに軸方向に重なる２つのポケット孔１４，１５からなり、これら両ポケット孔１４，１５のいずれか一方の半径方向寸法をいずれか他方の半径方向寸法よりも長くする。【選択図】      図１
2010043669.tif 000002
【特許請求の範囲】
【請求項１】
互いに軸方向に重なる第１の保持器構成板および第２の保持器構成板からなる保持器における円周方向複数箇所にポケットが設けられ、これら各ポケットにころが保持されたスラストころ軸受であって、
前記保持器の内径側端および外径側端では、前記第１および第２の保持器構成板が、それらのいずれか一方を、いずれか他方に加締めた加締め部で結合されており、前記各ポケットが、前記第１および第２の保持器構成板の半径方向の中間に設けられ互いに軸方向に重なる２つのポケット孔からなり、これら両ポケット孔のいずれか一方の半径方向寸法をいずれか他方の半径方向寸法よりも長くしたことを特徴とするスラストころ軸受。
【請求項２】
請求項１において、前記保持器の内径側端および外径側端の加締め部は、前記第１および第２の保持器構成板のいずれか一方の周縁を折り返してなる折返し部で、いずれか他方の周縁の平坦部を挟み込んだものであり、内径側端および外径側端における前記折返し部と前記周縁平坦部との間の径方向隙間寸法の総和を、前記両ポケット孔の間の半径方向寸法の差分よりも短くしたスラストころ軸受。
【請求項３】
請求項２において、前記折返し部の先端位置を、前記両ポケット孔のうち半径方向の長い一方のポケット孔から径方向に外れた位置としたスラストころ軸受。
【請求項４】
請求項１ないし請求項３のいずれか１項において、前記保持器の内径側端および外径側端の加締め部は、保持器の全周にわたって設けられているスラストころ軸受。
【請求項５】
請求項４において、前記保持器の内径側端および外径側端の加締め部は、前記第１および第２の保持器構成板のいずれか一方の周縁を折り返してなる折返し部で、いずれか他方の周縁の平坦部を挟み込んだものであり、前記折返し部の折り返し方向を同一方向としたスラストころ軸受。
【請求項６】
請求項１ないし請求項５のいずれか１項において、前記両ポケット孔のうち半径方向寸法の短い一方のポケット孔を、他方のポケット孔よりも軸方向におけるころ中心に近い位置に配置したスラストころ軸受。
【請求項７】
互いに軸方向に重なる第１の保持器構成板および第２の保持器構成板からなり、ころが保持されるポケットが円周方向複数箇所に設けられたスラストころ軸受用保持器であって、その内径側端および外径側端では、前記第１および第２の保持器構成板が、それらのいずれか一方を、いずれか他方に加締めた加締め部で結合されており、前記各ポケットが、前記第１および第２の保持器構成板の半径方向の中間に設けられ互いに軸方向に重なる２つポケット孔からなり、これら両ポケット孔のいずれか一方の半径方向寸法をいずれか他方の半径方向寸法よりも長くしたことを特徴とするスラストころ軸受用保持器。
【発明の詳細な説明】
【技術分野】
【０００１】
この発明は、自動車用トランスミッション、トルクコンバーター、カーエアコン用コンプレッサー等に使用されるスラストころ軸受、およびその保持器に関する。
【背景技術】
【０００２】
従来のスラストころ軸受として、例えば図８に示すように２枚の保持器構成板２１，２２を軸方向に重ねて箱型保持器３０としたものが知られている（例えば特許文献１）。保持器３０には円周方向複数箇所にポケット３３が設けられ、これら各ポケット３３にころ２４が保持される。各ポケット３３は、前記２枚の保持器構成板２１，２２の半径方向の中間に設けられ互いに軸方向に重なる２つのポケット孔３４，３５からなり、これら両ポケット孔３４，３５の半径方向寸法は同一である。下側の保持器構成板２２の内径側端および外径側端は軸方向の上側に折り曲げた折曲げ部２２ａ，２２ｂとされ、上側の保持器構成板２１の内径側端および外径側端は軸方向の下側に折り曲げた折り曲げ部２１ａ，２１ｂとされている。この保持器３０の内径側端では、上側の保持器構成板２１の内径側端を、下側の保持器構成板２２の折曲げ部２２ａの内径側に加締めて前記折曲げ部２１ａとすることで、両保持器構成板２１，２２が結合されている。また、保持器３０の外径側端では、上側の保持器構成板２１の外径側端を、下側の保持器構成板２２の折曲げ部２２ｂの外径側に加締めて前記折曲げ部２１ｂとすることで、両保持器構成板２１，２２が結合されている。
【特許文献１】特開２００２−７０８７２号公報
【発明の開示】
【発明が解決しようとする課題】
【０００３】
しかし、上記構成の場合、保持器３０の内径側端および外径側で、上側の保持器構成板２１の内径側端および外径側端を、下側の保持器構成板２２の各折曲げ部２２ａ，２２ｂに加締める際に、上下の保持器構成板２１，２２の間で半径方向へのずれが生じると、ころ２４が上下のポケット孔３４，３５の口縁に挟み付けられてロックしてしまう。ころ２４がロックして回転しなくなると、極端な寿命低下やトルクの増大などの悪影響が発生する。
【０００４】
この発明の目的は、保持器の加締め時に保持器構成板がずれてもころのロックが生じず、組立性を向上させることのできるスラストころ軸受、およびその保持器を提供することである。
【課題を解決するための手段】
【０００５】
この発明のスラストころ軸受は、互いに軸方向に重なる第１の保持器構成板および第２の保持器構成板からなる保持器における円周方向複数箇所にポケットが設けられ、これら各ポケットにころが保持されたスラストころ軸受であって、前記保持器の内径側端および外径側端では、前記第１および第２の保持器構成板が、それらのいずれか一方を、いずれか他方に加締めた加締め部で結合されており、前記各ポケットが、前記第１および第２の保持器構成板の半径方向の中間に設けられ互いに軸方向に重なる２つのポケット孔からなり、これら両ポケット孔のいずれか一方の半径方向寸法をいずれか他方の半径方向寸法よりも長くしたことを特徴とする。
この構成によると、各ポケットが、第１および第２の保持器構成板の半径方向の中間に設けられ互いに軸方向に重なる２つのポケット孔からなるが、両ポケット孔の一方の半径方向寸法を他方の半径方向寸法よりも長くしている。このため、保持器の内外径側端を加締める際に、２枚の保持器構成板が半径方向にずれても、半径方向寸法の短いポケット孔が、半径方向寸法の長いポケット孔の内側に収まっている限り、ころは半径方向寸法の長いポケット孔の内側に収まることになり、ころにロックが生じず、組立性を向上させることができる。
【０００６】
この発明において、前記保持器の内径側端および外径側端の加締め部は、前記第１および第２の保持器構成板のいずれか一方の周縁を折り返してなる折返し部で、いずれか他方の周縁の平坦部を挟み込んだものであり、内径側端および外径側端における前記折返し部と前記周縁平坦部との間の径方向隙間寸法の総和を、前記両ポケット孔の間の半径方向寸法の差分よりも短くしても良い。
この構成の場合、保持器の内外径側端を加締める際に、一方の保持器構成板の周縁平坦部が他方の保持器構成板の折返し部に突き当たるまで、両保持器構成板が半径方向にずれたとしても、半径方向寸法の短いポケット孔が、半径方向寸法の長いポケット孔の内側に収まっている。そのため、ころがロックするのを確実に防止できる。
【０００７】
この構成の場合に、前記折返し部の先端位置を、前記両ポケット孔のうち半径方向の長い一方のポケット孔から径方向に外れた位置とするのが望ましい。この構成の場合、ころの端面が半径方向寸法の長いポケット孔の開口縁近くに達するまで両保持器構成板が半径方向にずれても、折返し部の先端がころの端面に当たってロックするのを防止できる。
【０００８】
この発明において、前記保持器の内径側端および外径側端の加締め部は、保持器の全周にわたって設けられていても良い。
【０００９】
この発明において、前記保持器の内径側端および外径側端の加締め部は、前記第１および第２の保持器構成板のいずれか一方の周縁を折り返してなる折返し部で、いずれか他方の周縁の平坦部を挟み込んだものであり、前記折返し部の折り返し方向を同一方向としても良い。
【００１０】
この発明において、前記両ポケット孔のうち半径方向寸法の短い一方のポケット孔を、他方のポケット孔よりも軸方向におけるころ中心に近い位置に配置しても良い。この構成の場合、保持器のポケットはころの端面をその中心に近い部分で保持することになり、ころの端面にドリリング摩耗が起きるのを低減できる。
【００１１】
この発明において、前記折返し部の先端位置を、前記両ポケット孔のうち半径方向の長い一方のポケット孔から径方向に外れた位置とするのが望ましい。この構成の場合、ころの端面が半径方向寸法の長いポケット孔の開口縁近くに達するまで両保持器構成板が半径方向にずれても、折返し部の先端がころの端面に当たってロックするのを防止できる。
【００１２】
この発明のスラストころ軸受用保持器は、互いに軸方向に重なる第１の保持器構成板および第２の保持器構成板からなり、ころが保持されるポケットが円周方向複数箇所に設けられたスラストころ軸受用保持器であって、その内径側端および外径側端では、前記第１および第２の保持器構成板が、それらのいずれか一方を、いずれか他方に加締めた加締め部で結合されており、前記各ポケットが、前記第１および第２の保持器構成板の半径方向の中間に設けられ互いに軸方向に重なる２つポケット孔からなり、これら両ポケット孔のいずれか一方の半径方向寸法をいずれか他方の半径方向寸法よりも長くしたことを特徴とする。
この構成によると、保持器の内外径側端を加締める際に、２枚の保持器構成板が半径方向にずれても、ころは半径方向寸法の長いポケット孔の内側に収まることになり、ころにロックが生じず、組立性を向上させることができる。
【発明の効果】
【００１３】
この発明のスラストころ軸受は、互いに軸方向に重なる第１の保持器構成板および第２の保持器構成板からなる保持器における円周方向複数箇所にポケットが設けられ、これら各ポケットにころが保持されたスラストころ軸受であって、前記保持器の内径側端および外径側端では、前記第１および第２の保持器構成板が、それらのいずれか一方を、いずれか他方に加締めた加締め部で結合されており、前記各ポケットが、前記第１および第２の保持器構成板の半径方向の中間に設けられ互いに軸方向に重なる２つのポケット孔からなり、これら両ポケット孔のいずれか一方の半径方向寸法をいずれか他方の半径方向寸法よりも長くしたため、保持器の加締め時に保持器構成板がずれても、ころのロックが生じず、組立性を向上させることができる。
この発明のスラストころ軸受用保持器は、互いに軸方向に重なる第１の保持器構成板および第２の保持器構成板からなり、ころが保持されるポケットが円周方向複数箇所に設けられたスラストころ軸受用保持器であって、その内径側端および外径側端では、前記第１および第２の保持器構成板が、それらのいずれか一方を、いずれか他方に加締めた加締め部で結合されており、前記各ポケットが、前記第１および第２の保持器構成板の半径方向の中間に設けられ互いに軸方向に重なる２つポケット孔からなり、これら両ポケット孔のいずれか一方の半径方向寸法をいずれか他方の半径方向寸法よりも長くしたため、保持器の加締め時に保持器構成板がずれても、ころのロックが生じず、組立性を向上させることができる。
【発明を実施するための最良の形態】
【００１４】
この発明の一実施形態を図１ないし図３と共に説明する。図１は、この実施形態のスラストころ軸受の断面図を示す。このスラストころ軸受１は、環状の保持器１０と、この保持器１０に保持されたころ４とからなる。つまりこのスラストころ軸受１は、保持器付きころだけからなるケージ＆ローラー形式のスラストころ軸受である。保持器１０は、互いに軸方向に重なる環状の第１の保持器構成板１１と第２の保持器構成板１２とでなり、円周方向複数箇所に設けられた各ポケット１３にころ４が保持される。
【００１５】
第１の保持器構成板１１は、２つの周縁側平坦部１１ａ，１１ｂと、中央平坦部１１ｃと、内径側連続部１１ｄと、外径側連続部１１ｅとでなる断面形状とされている。２つの周縁側平坦部１１ａ，１１ｂは、互いに内径側および外径側に位置し、それぞれ軸方向を向く平板状の部分である。中央平坦部１１ｃは、内径側に位置する周縁側平坦部１１ａおよび外径側に位置する周縁側平坦部１１ｂに対して半径方向の中間にあって、軸方向に偏って位置する平板状の部分である。内径側連続部１１ｄは、内径側に位置する周縁側平坦部１１ａの外周縁から中央平坦部１１ｃの内周縁に続く傾斜部分である。外径側連続部１１ｅは、中央平坦部１１ｃの外周縁から外径側に位置する周縁側平坦部１１ｂの内周縁に続く傾斜部分である。
【００１６】
第２の保持器構成板１２は、連続平坦部１２ａと、内径側折返し部１２ｂと、外径側折り返し部１２ｃとでなる断面形状とされている。連続平坦部１２ａは、第１の保持器構成板１１の中央平坦部１１ｃの偏り方向と反対側の面で、第１の保持器構成板１１の２つの周縁側平坦部１１ａ，１１ｂにわたって重なる部分である。内径側折返し部１２ｂは、連続平坦部１２ａの内周縁から延びる平板状部を折り返して形成される部分である。外径側折返し部１２ｃは、連続平坦部１２ａの外周縁から延びる平板状部を折り返して形成される部分である。これら両折返し部１２ｂ，１２ｃは、例えば加締治具を用いた加締処理により折り返される。すなわち、内径側折返し部１２ｂは、連続平坦部１２ａの内周縁から延びる平板状部を第１の保持器構成板１１の周縁側平坦部１１ａに加締めて連続平坦部１２ａとの間に、周縁側平坦部１１ａを挟み込む加締め部となる部分である。また、外径側折返し部１２ｃは、連続平坦部１２ａの外周縁から延びる平板状部を第１の保持器構成板１１の周縁側平坦部１１ｂに加締めて連続平坦部１２ａとの間に、周縁側平坦部１１ｂを挟み込む加締め部となる部分である。内径側折返し部１２ｂおよび外径側折返し部１２ｃは、第２保持器構成板１２の全周にわたって有するものとされる。
【００１７】
ころ４を保持する保持器１０のポケット１３は、第１の保持器構成板１１の半径方向の中間にプレス加工により打ち抜き形成されたポケット孔１４と、第２の保持器構成板１２半径方向の中間にプレス加工により打ち抜き形成され前記ポケット孔１４と軸方向に重なるポケット孔１５とでなる。これら第１および第２の保持器構成板１１，１２のポケット孔１４，１５は、打ち抜き用のプレス型（図示せず）を用いたプレス加工により打ち抜き形成される。これら両ポケット孔１４，１５のうち、第２の保持器構成板１２のポケット孔１５の半径方向寸法Ｌ２は、第１の保持器構成板１１のポケット孔１４の半径方向寸法Ｌ１よりも長くされている。また、第２の保持器構成板１２の内径側折返し部１２ｂおよび外径側折返し部１２ｃの先端位置は、半径方向寸法の長いポケット孔１５から径方向に外れた位置とされている。
【００１８】
また、この実施形態では、内径側折返し部１２ｂと周縁側平坦部１１ａとの間の径方向隙間寸法Ｃ１と、外径側折返し部１２ｃと周縁側平坦部１１ｂとの間の径方向隙間寸法Ｃ２の総和Ｃ（＝Ｃ１＋Ｃ２）を、前記両ポケット孔１４，１５の間の半径方向寸法の差分（Ｌ２−Ｌ１）よりも短くしている。すなわち、
Ｃ＜Ｌ２−Ｌ１……（１）
の関係式が成り立つようにしている。
【００１９】
また、半径方向寸法の短い第１の保持器構成板１１のポケット孔１４は、半径方向寸法の長い第２の保持器構成板１２のポケット孔１５よりも、軸方向におけるころ４の中心Ｏに近い位置に配置される。
【００２０】
このスラストころ軸受では、軸方向に対向配置され互いに相対回転する一対の相手部材７，８が、ころ４の接触する転走面となるように、両部材７，８間に保持器１０が配置される。
【００２１】
この構成のスラストころ軸受１によると、保持器１０の各ポケット１３が、第１および第２の保持器構成板１１，１２の半径方向の中間に設けられ互いに軸方向に重なる２つのポケット孔１４，１５からなるが、両ポケット孔１４，１５の一方の半径方向寸法Ｌ２を他方の半径方向寸法Ｌ１よりも長くしている。このため、保持器１０の内外径側端を加締める際に、第１および第２の保持器構成板１１，１２が半径方向にずれても、ころ４がロックするのを防止でき、組立性が向上する。
すなわち、第２の保持器構成板１２のポケット孔１５の半径方向寸法Ｌ２を、第１の保持器構成板１１のポケット孔１４の半径方向寸法Ｌ１よりも長くしているので、保持器１０の内外径側端を加締める際に、２枚の保持器構成板１１，１２が半径方向にずれても、ころ４は半径方向寸法Ｌ２のポケット孔１５の内側に収まることになり、ころ４がロックするのを防止できる。内径側折返し部が第１の保持器構成板１１の内周縁に形成される場合、あるいは外径側折返し部が第１の保持器構成板１１の外周縁に形成される場合、あるいは両折返し部が第１の保持器構成板１１の内外縁に形成される場合でも同様である。
【００２２】
とくに、この実施形態では、保持器１０の内径側端および外径側端における第２の保持器構成板１２の折返し部１２ｂ，１２ｃと、第１の保持器構成板１１の周縁側平坦部１１ａ，１１ｂとの間の径方向隙間寸法Ｃ１，Ｃ２の総和Ｃ（＝Ｃ１＋Ｃ２）を、前記両ポケット孔１４，１５の間の半径方向寸法の差分（Ｌ２−Ｌ１）よりも短くしている（Ｃ＜Ｌ２−Ｌ１）。このため、保持器１０の内外径側端を加締める際に、例えば図２のように、一方の周縁側平坦部１１ａが内径側折返し部１２ｂに突き当たるまで、両保持器構成板１１，１２が半径方向にずれたとしても、ころ４は半径方向寸法Ｌ２のポケット孔１５の内側に収まることになり、ころ４がロックするのを確実に防止できる。
【００２３】
ちなみに、上記したＣ＜Ｌ２−Ｌ１の寸法関係にない場合には、一方のポケット孔１５の半径方向寸法Ｌ２を他方のポケット孔１４の半径方向寸法Ｌ１よりも長くしておいても、例えば図３のように、一方の周縁側平坦部１１ａが内径側折返し部１２ｂに突き当たるまで、両保持器構成板１１，１２が半径方向にずれてしまうと、ポケット孔１４の開口縁とポケット孔１５の開口縁とでころ４が挟まれてロックする事態が生じ得る。
【００２４】
また、この実施形態では、半径方向寸法の短い第１の保持器構成板１１のポケット孔１４が、半径方向寸法の長い第２の保持器構成板１２のポケット孔１５よりも、軸方向におけるころ４の中心Ｏに近い位置に配置されているので、保持器１０のポケット１３はころ４の端面を中心Ｏに近い部分で保持することになり、ころ４の端面にドリリング摩耗が起きるのを低減できる。
【００２５】
また、この実施形態では、第２の保持器構成板１２の内径側折返し部１２ｂおよび外径側折返し部１２ｃの先端位置を、半径方向寸法の長いポケット孔１５から径方向に外れた位置としているので、ころ４の端面が半径方向寸法の長いポケット孔１５の開口縁近くに達するまで両保持器構成板１１，１２が半径方向にずれても、内径側折返し部１２ｂおよび外径側折返し部１２ｃの先端がころ４の端面に当たってロックするのを防止できる。
【００２６】
なお、この実施形態では、第２の保持器構成板１２の連続平坦部１２ａの内径縁と外径縁に折曲げ部１２ｂ，１２ｃを形成した場合、つまり両折曲げ部１２ｂ，１２ｃが互いに軸方向の同一方向に折り返された場合を例示した。しかし、例えば図４に示すように、外径側折返し部１１ｆとして、第１の保持器構成板１１における外径側に位置する周縁側平坦部１１ｂの外周縁を下側に折り返して、第２の保持器構成板１２の連続平坦部１２ａの外径縁を挟み込むようにしても良い。また、図示は省略するが、内径側折返し部として、第１の保持器構成板１１における内径側に位置する周縁側平坦部１１ａの内周縁を下側に折り返して、第１の保持器構成板１２の連続平坦部１２ａの内径縁を挟み込むようにしても良い。また、例えば、さらに他の例として、図５に示すように、第１の保持器構成板１１の内外周縁を下側に折り返して内径側折返し部１１ｇおよび外径側折返し部１１ｈを形成しても良い。
【００２７】
図６は、この発明の他の実施形態を示す。この実施形態のスラストころ軸受１Ａは、図１の実施形態において、第２の保持器構成板１２の内径側折返し部１２ｂおよび外径側折返し部１２ｃの先端位置が、半径方向寸法の長いポケット孔１５の径方向内側に位置されている。ただし、この場合でも、前記内径側折返し部１２ｂおよび外径側折返し部１２ｃの先端位置は、半径方向寸法の短いポケット孔１４から径方向に外れた位置とされている。その他の構成は図１の実施部形態の場合と同様である。
【００２８】
この実施形態の場合、ころ４がロックしてしまわない両保持器構成板１１，１２の半径方向のずれ量の限界値は、内径側折返し部１２ｂと外径側折返し部１２ｃの先端間の半径方向寸法により決まるが、両保持器構成板１１，１２がある程度まで半径方向にずれてもころ４がロックするのを防止する効果は得られる。つまり、半径方向寸法の短いポケット孔１４が、内径側折返し部１２ｂと外径側折返し部１２ｃの先端間からなる半径方向寸ポケット孔の内側に収まっている限り、ころがロックするのを確実に防止できる。
【００２９】
図７は、この発明のさらに他の実施形態を示す。このスラストころ軸受１Ｂは、環状の箱型保持器１０Ａと、この保持器１０Ａに保持されたころ４とからなるケージ＆ローラー形式のスラストころ軸受である。保持器１０Ａは、互いに軸方向に重なる環状の第１の保持器構成板１１Ａと第２の保持器構成板１２Ａとでなり、円周方向複数箇所に設けられた各ポケット１３にころ４が保持される。各ポケット１３は、前記両保持器構成板１１Ａ，１２Ａの半径方向の中間に設けられ互いに軸方向に重なる２つのポケット孔１４，１５からなり、これら両ポケット孔１４，１５のうち、第２の保持器構成板１２Ａのポケット孔１５の半径方向寸法Ｌ２は、第１の保持器構成板１１Ａのポケット孔１４の半径方向寸法Ｌ１よりも長くされている。
【００３０】
第２の保持器構成板１２Ａの内径側端および外径側端は軸方向の上側に折り曲げた折曲げ部１２Ａａ，１２Ａｂとされ、第１の保持器構成板１１Ａの内径側端および外径側端は軸方向の下側に折り曲げた折り曲げ部１１Ａａ，１１Ａｂとされている。この保持器１０Ａの内径側端では、第１の保持器構成板１１Ａの内径側端を、第２の保持器構成板１２Ａの折曲げ部１２Ａａの内径側に加締めて前記折曲げ部１１Ａａとすることで、両保持器構成板１１Ａ，１２Ａが結合されている。また、保持器１０Ａの外径側端では、第１の保持器構成板１１Ａの外径側端を、第２のの保持器構成板１２Ａの折曲げ部１２Ａｂの外径側に加締めて前記折曲げ部１１Ａｂとすることで、両保持器構成板１１Ａ，１２Ａが結合されている。
【００３１】
この実施形態のスラストころ軸受１Ｂにおいても、第２の保持器構成板１２Ａのポケット孔１５の半径方向寸法Ｌ２を、第１の保持器構成板１１Ａのポケット孔１４の半径方向寸法Ｌ１よりも長くしている。このため、保持器１０Ａの内外径側端を加締める際に、２枚の保持器構成板１１Ａ，１２Ａが半径方向にずれても、ころ４は半径方向寸法Ｌ２のポケット孔１５の内側に収まることになり、ころ４がロックするのを防止でき、組立性も向上する。
【図面の簡単な説明】
【００３２】
【図１】この発明の一実施形態にかかるスラストころ軸受の部分断面図である。
【図２】同スラストころ軸受における保持器加締め時の保持器構成板のずれの影響の説明図である。
【図３】同スラストころ軸受におけるポケット孔の寸法等の条件を異ならせた場合の保持器加締め時の保持器構成板のずれの影響の説明図である。
【図４】この発明の他の実施形態にかかるスラストころ軸受の部分断面図である。
【図５】この発明のさらに他の実施形態にかかるスラストころ軸受の部分断面図である。
【図６】この発明のさらに他の実施形態にかかるスラストころ軸受の部分断面図である。
【図７】この発明のさらに他の実施形態にかかるスラストころ軸受の部分断面図である。
【図８】従来例の部分断面図である。
【符号の説明】
【００３３】
１，１Ａ，１Ｂ…スラストころ軸受
４…ころ
１０，１０Ａ…保持器
１１，１１Ａ…第１の保持器構成板
１１ａ，１１ｂ…周縁側平坦部
１１Ａａ，１１Ａｂ…折曲げ部（加締め部）
１２，１２Ａ…第２の保持器構成板
１２ｂ…内径側折返し部（加締め部）
１２ｃ…外径側折返し部（加締め部）
１２Ａａ，１２Ａｂ…折り曲げ部
１３…ポケット
１４，１５…ポケット孔
【図１】
2010043669.tif 000003
【図２】
2010043669.tif 000004
【図３】
2010043669.tif 000005
【図４】
2010043669.tif 000006
【図５】
2010043669.tif 000007
【図６】
2010043669.tif 000008
【図７】
2010043669.tif 000009
【図８】
2010043669.tif 000010